(57)【要約】【課題】オフィス空間などに設置した照明器具やスピーカー、送風機を制御し、多種の感覚に作用して遠隔地の雰囲気を感じさせることによって、リラクゼーション効果をもたらしながら、作業効率や発想を豊かにするような創造性を向上させる空間作りを行うシステムを提供すること。【解決手段】遠隔地に設置され、当該遠隔地の少なくとも１つの環境情報を収集する少なくとも１つの環境情報収集装置１２を備えた遠隔地設備１０と、収集した前記環境情報の特徴成分データを抽出する環境情報コンテンツサーバ２０と、抽出した前記特徴成分データに従って所定の空間に少なくとも１つの環境情報を出力する少なくとも１つの出力装置を備えた空間設備３０とを備えた。【選択図】図１
2008004023.tif 000002
【特許請求の範囲】
【請求項１】
遠隔地に設置され、当該遠隔地の少なくとも１つの環境情報を収集する少なくとも１つの環境情報収集装置を備えた遠隔地設備と、
収集した前記環境情報の特徴成分データを抽出する環境情報コンテンツサーバと、
抽出した前記特徴成分データに従って所定の空間に少なくとも１つの環境情報を出力する少なくとも１つの出力装置を備えた空間設備とを具備することを特徴とする環境情報出力制御システム。
【請求項２】
請求項１に記載の環境情報出力制御システムにおいて、前記環境情報コンテンツサーバは、前記環境情報収集装置を管理する管理部と、前記環境情報収集装置で収集された環境情報から特徴成分データを抽出する現象特徴成分抽出部と、を具備することを特徴とする環境情報出力制御システム。
【請求項３】
請求項２に記載の環境情報出力制御システムにおいて、前記現象特徴成分抽出部は、収集した環境情報のうち、時間的な変化を伴うものを、前記環境情報の特徴成分データとして抽出することを特徴とする環境情報出力制御システム。
【請求項４】
請求項３に記載の環境情報出力制御システムにおいて、前記現象特徴成分抽出部は、画像データを走査して、該走査の結果、時間的に変化する部分を特徴成分データとして設定し、当該部分の変化に従って、前記特徴成分データを出力することを特徴とする環境情報出力制御システム。
【請求項５】
請求項１から請求項４のいずれか１項に記載の環境情報出力制御システムにおいて、前記環境情報コンテンツサーバは、前記少なくとも１つの出力装置に応じて前記空間設備に出力する少なくとも１つの特徴成分データを選択する選択部を更に具備することを特徴とする環境情報出力制御システム。
【請求項６】
遠隔地の少なくとも１つの環境情報を収集し、
収集した前記環境情報の特徴成分データを抽出し、
抽出した前記特徴成分データに従って所定の空間に少なくとも１つの環境情報を出力することを特徴とする環境情報出力制御方法。
【発明の詳細な説明】
【技術分野】
【０００１】
本発明は、遠隔地における様々な環境における特徴を環境情報として抽出して、所定の空間設備に出力する環境情報の出力制御技術に関する。
【背景技術】
【０００２】
これまで、自然環境が持つリラクゼーション効果について多数の報告がなされている（例えば、非特許文献１参照）。また、小川や海、森などの音や映像を集録したＣＤやＤＶＤも販売されている。さらに、マイナスイオン放出器などリラクゼーションに資することを目的とする家電製品が販売されている。
【０００３】
一方、その場に実際には存在しない環境を構築する「仮想現実（ＶＲ：Virtual Reality）」や「仮想環境」に係る技術はさまざまなものが提案されている（例えば、非特許文献２参照）。  
仮想現実（ＶＲ）は、主に特定の環境の「再現」に重点が置かれている。そのため、主たる刺激が特に視覚情報である場合が多く、呈示刺激としては認知負荷が強いものとなっている。また、実体験に比べて視覚に対する依存度が大きいために体験者がＶＲ酔いや身体的不安定感・心理的不安が存在する等の問題点がある（例えば非特許文献３参照）。このため、リラックスやリフレッシュなどの用途に適用することは困難であり、安らぐ生活空間の設計などに使用されることは殆どなかった。
【０００４】
また、自然環境の映像を収録したビデオ映像は、リラクゼーション効果が認められつつあるものの、その効果を得るために映像を見続ける必要があるため、知的作業を行う場における利用は集中力を減少させ、作業効率が低下するといった問題があった。
【０００５】
近年の家電製品では、例えば空調機器なら皮膚感覚・嗅覚といった限られた感覚に作用することを意図して、リラックスやリフレッシュを目的とするものがあるが、五感など多種の感覚に総合的に作用する機器はなく、総合的な快適空間の生成及び提供には未だ至っていない。
【０００６】
一方、大都市圏のオフィスに勤務する人々のストレスは、対人的な要因もさることながら、外部環境と隔絶され、オフィス機器などの人工物に囲まれた閉塞感を長時間感じ続けることにも起因していることが示唆されている。  
こうした中で、映像を主とした認知負荷の強い視覚刺激には頼らず、他の多種の感覚に総合的に作用し、自然環境の雰囲気によるリラクゼーション効果をもたらしながら、作業効率や発想を豊かにするような創造性を向上させる空間作りが必要とされる。しかし、オフィス空間などにおいて、多種の感覚に総合的に作用して、リラクゼーション効果をもたらしながら、作業効率や発想を豊かにするような創造性を向上させる空間作りを行うようなシステムは提案されていない。
【非特許文献１】“脳波・心拍反応及び主観評価からみた緑地の騒音ストレス回復効果に関する実験的研究”日本造園学会誌、６５（５）、２００２年
【非特許文献２】http://www.evl.uic.edu/pape/CAVE/
【非特許文献３】“没入型仮想環境の被験者における心理的不安に与える身体的支えの影響”、日本教育工学会研究報告集、３（１）、２００３年
【発明の開示】
【発明が解決しようとする課題】
【０００７】
本発明は、オフィス空間などに設置した照明器具やスピーカー、送風機を制御し、多種の感覚に作用して遠隔地の雰囲気を感じさせることによって、リラクゼーション効果をもたらしながら、作業効率や発想を豊かにするような創造性を向上させる空間作りを行うシステムを提供することを目的とする。
【課題を解決するための手段】
【０００８】
本システムは遠隔地の環境情報をカメラやマイク、風向風速計など各種センサによって収集し、通信網を介し、オフィス空間などに設置した照明器具やスピーカー、送風機を制御し、遠隔地の雰囲気を感じさせるシステムである。ここで、本システムでは、例えば波のきらめきをカメラで収録した場合、そのまま映像刺激として認知負荷の強い形でユーザに呈示するのではなく、きらめきの強度やリズムを抽出し、そのリズムに基づいて空間内の照明や送風機を制御するようにしている。これにより、ユーザの作業を妨げることなく、遠隔地の自然環境を空間全体の雰囲気として感じさせることができる。また、オフィス空間などが具備する出力機器の状況によって出力機器によって呈示する刺激形態も変化させる。
【０００９】
本発明の局面に係る環境情報出力制御システムは、遠隔地に設置され、当該遠隔地の少なくとも１つの環境情報を収集する少なくとも１つの環境情報収集装置を備えた遠隔地設備と、収集した前記環境情報の特徴成分データを抽出する環境情報コンテンツサーバと、抽出した前記特徴成分データに従って所定の空間に少なくとも１つの環境情報を出力する少なくとも１つの出力装置を備えた空間設備とを具備することを特徴とする。なお、本発明は装置のみならず、方法の発明としても成立する。
【発明の効果】
【００１０】
本発明によれば、オフィス空間などに設置した照明器具やスピーカー、送風機を制御し、多種の感覚に作用して遠隔地の雰囲気を感じさせることができる。これにより、リラクゼーション効果と共に、作業効率や創造性を向上させることができる。
【発明を実施するための最良の形態】
【００１１】
図面を参照して本発明の実施の形態を説明する。図１は、本発明の一実施形態に係る環境情報出力制御システムの全体構成を示す概略図である。  
図１に示すように、本実施形態に係る環境情報出力制御システムは、遠隔地設備１０と、環境情報コンテンツサーバ２０と、空間設備３０とを備えている。そして、遠隔地設備１０と、環境情報コンテンツサーバ２０と、空間設備３０とはネットワーク４０を介して、通信可能に接続されている。ネットワーク４０は、有線、無線を問わない各種の公衆回線網や、専用線網、ＬＡＮなどの各種ネットワーク４０を含む。
【００１２】
遠隔地設備１０は、例えば、リゾート地や観光地などの遠隔地（本明細書では、単に「遠隔地」と称する）に設置され、入力系として機能し、環境情報を収集する。遠隔地設備１０は、少なくとも１つの環境情報収集装置１２（１２−１、１２−２、・・・、１２−ｎ）と、環境情報収集制御部１４と、環境情報送信部１６と、ネットワークインターフェース１８とを含む。  
環境情報収集装置１２は、各種のセンサ類であり、遠隔地における実際の環境情報の計測を行う。各種センサ類は、マイク、カメラ、温度計、湿度計、風速計、日照計、土壌水分計といった、あらゆるセンサ、すなわち、環境情報を検出することが可能な機器は全て該当するものとする。
【００１３】
環境情報収集制御部１４は、環境情報収集装置１２の動作を制御する。具体的には、次の通りである。環境情報収集制御部１４は、遠隔地に設置された環境情報収集装置１２を管理して、その動作を制御する。これにより、環境情報収集装置１２は、環境情報収集制御部１４の制御により環境情報を収集する。また、環境情報収集制御部１４は、遠隔地の場所情報や、環境情報収集装置１２の設置状況や環境情報収集装置１２の詳細情報を管理して、ネットワークインターフェース１８を介して、詳細は後述する環境情報コンテンツサーバ２０に、それらの情報（すなわち、遠隔地プロファイル）を提供する。表１に、遠隔地プロファイルの例を示す。表１は、遠隔地を海岸とした場合の、遠隔地プロファイルである。
【表１】
2008004023.tif 000003
【００１４】
表１において、「環境情報収集装置」は、環境情報収集装置の種類を示しており、この場合は、カメラ１と、マイク１と、マイク２と、温度計と、風向風速計の５つの環境情報収集装置が設置されていることを示している。  
「方位（指向性）」は、環境情報を収集する方向を示しており、例えば、カメラ１は角度θと角度φにより画像を収集する範囲が決定されることを示しており、マイク１は指向性を有するマイクであることを示している。また、マイク２は、指向性を有していないマイクであることを示している。なお、温度計及び風向風速計は、基本的に指向性を有するものではないので、空欄となっている。  
「位置」は、環境情報収集装置が設置する場所を座標で示したものである。なお、座標のみでは、環境情報収集装置の設置場所がどのような環境であるかが判断できないので、例えば、温度計の「位置」を、座標と共に、木陰、日当たりの良い場所などと記載しておいても良い。また、風向風速計の「位置」に、温度計と同様に、木陰を付加しても良い。  
「データ量」は、単位時間当り環境情報収集装置から出力されるデータの量を示す。  
「ターゲット」は、表１では、環境として海岸を対象としているので、カメラ１として「海面」、マイク１として「波打ち際」が設定されているが、環境として森林を対象としているのであれば、マイク１のターゲットとして、樹上（鳥のさえずり）や森（木々の葉のそよぐ音）としてもよく、環境により、ターゲットや環境情報収集装置或いは、それらの設置場所も適宜変えることが好ましい。
【００１５】
環境情報送信部１６は、環境情報収集装置１２で収集された環境情報を入力して、ネットワークインターフェース１８を介して、当該環境情報を環境情報コンテンツサーバ２０に送信する。
【００１６】
環境情報コンテンツサーバ２０は、少なくとも１つの遠隔地設備１０を管理し、遠隔地設備１０で収集された環境情報に基づいて、詳細は後述する少なくとも１つの空間設備３０に、遠隔地で生じている自然現象の特徴成分を配信する。環境情報コンテンツサーバ２０は、環境情報収集装置管理部２１と、現象特徴成分抽出部２２と、現象特徴成分抽出規則データベース２３と、現象特徴成分データベース２４と、現象特徴成分データ選択部２５と、現象特徴成分データ配信部２６と、ネットワークインターフェース２７とを含む。
【００１７】
環境情報収集装置管理部２１は、ネットワークインターフェース２７を介して、遠隔地に設置された遠隔地設備１０の管理を行う。具体的には、環境情報収集装置管理部２１は、遠隔地設備１０から送信された設置機器情報や場所に関する遠隔地プロファイル情報を受信し、当該遠隔地プロファイル情報に基づいて、遠隔地設備１０の追加や削除、遠隔地設備１０に設けられた環境情報収集装置１２の構成変更などを管理する。なお、遠隔地設備１０の追加や削除については、環境情報コンテンツサーバ２０の管理が行っても良いし、何らかの基準（例えば、環境が変化した場合や環境情報が十分でない場合などの基準）を設けておき、当該基準に基づいて、行っても良い。
【００１８】
現象特徴成分抽出部２２は、現象特徴成分抽出規則データベース２３に記録された現象特徴成分抽出規則に従って、遠隔地の環境情報収集装置１２から受信した環境情報を加工し、現象特徴成分データを生成する。現象特徴成分データは通常１つの自然現象から複数生成される。例えば、現象特徴成分データとして、波のきらめきを例に取れば、例えば、その明度変化をそのまま光で表現することを想定した明度情報と、きらめきのリズムを風で表現することを想定した風速情報との２つのデータが生成可能である。すなわち、現象特徴成分抽出規則は、例えば、「波のきらめき」であれば、現象特徴成分データとして、明度情報と、風速情報の少なくとも２つのデータを生成するという規則が登録されている。そして、生成された現象特徴成分データは、現象特徴成分データベース２４に記憶される。  
現象特徴成分データとは、詳細は後述するが、遠隔地で生じている自然現象の経時変化成分を作業空間に適した物理量範囲に変換したデータであり、空間設備３０において各種出力機器を用いて出力をする際にユーザの作業を妨げないよう、認知負荷を小さくする形態に加工したデータである。
【００１９】
現象特徴成分データ選択部２５は、現象特徴成分データベース２４に記憶された現象特徴成分データを読み出して、空間設備３０に配信すべき現象特徴成分データを選択する。現象特徴成分データ選択部２５は、ネットワークインターフェース２７を介して入力した出力装置情報に基づいて、具体的には、例えば、空間設備３０において現象特徴成分データを出力可能な出力装置の有無や、空間設備３０の環境などに基づいて、空間設備３０に配信する現象特徴成分データを選択する。
【００２０】
現象特徴成分データ配信部２６は、現象特徴成分データ選択部２５で選択した現象特徴成分データを、ネットワークインターフェース２７を介して空間設備３０に配信する。
【００２１】
空間設備３０は、オフィスや一般住居などに設けられた設備であって、遠隔地の雰囲気を味わい、リラックスするための空間に設けられる。空間設備３０は、刺激出力装置３２（３２−１、３２−２、・・・、３２−ｎ）と、刺激出力制御部３４と、ネットワークインターフェース３６と備えている。
【００２２】
刺激出力装置３２は、各種の出力機器や出力装置であり、例えば、カラーＬＥＤなどの照明装置、送風機、空調装置、スピーカー、ディスプレイ、芳香発生装置、バイブレータなどを含む。なお、図１では、刺激出力装置３２と環境情報収集装置１２とが同じ台数であるように記載しているが、もちろん同じでなくてもよく。環境情報収集装置の設置場所や、空間設備の状況に応じて、適宜構成を選択、変更することができる。  
刺激出力制御部３４は、刺激出力装置３２を制御する。すなわち、刺激出力制御部３４は、刺激出力装置３２の動作状態を管理し、実際の制御パラメータを与えて動作させるほか、機器の存在情報・動作情報を環境情報コンテンツサーバ２０の現象特徴成分データ選択部２５に送信する。
【００２３】
また、図示しないユーザ効果測定部を設けても良い。ユーザ効果測定部は、刺激出力制御部３４又はネットワークインターフェース３６に接続され、利用者が空間を体験する際のリアルタイムフィードバックのためのセンサや、入力機器を備えている。具体的には、ユーザ効果測定部は、各種生理計測機器（脈波計、心電計、脳波計、筋電計、発汗計、近赤外線モ二タなど）や、簡便な入力機器（ボタン、マウス、キーボード、ゲームコントローラなど）などを含み、このデータや出力の情報は環境情報コンテンツサーバ２０にフィードバックされる。そして、これらの情報のうち、ある表現物理量について、ユーザに対する例えばリラクゼーション効果などの効果がみられる測定結果やユーザの判断が得られた場合には、その表現物理量に対する現象特徴成分データを優先して抽出するように、現象特徴成分抽出規則データベース２３に規則として記憶しておくことが好ましい。これにより、よりユーザに対して効果のある特徴成分データを優先して抽出することができる。
【００２４】
上記のように構成された本発明の一実施形態に係る環境情報出力制御システムの具体的な動作例を、２つの事例を挙げて説明する。
【００２５】
（動作例１）
空に注目した場合について説明する。空は、明け方から日中、タ方、夜、と時間に従って色彩と明るさが変化する。この場合、まず遠隔地に設置した環境情報収集装置１２の１つであるカメラによって映像を収集する。この映像を環境情報送信部１６及びネットワークインターフェース１８を介して環境情報コンテンツサーバ２０に送信する。
【００２６】
環境情報コンテンツサーバ２０の現象特徴成分抽出部２２は、画像解析機能を備えており、映像に含まれる空の部分の色相、彩度、明度という色に関する物理量を算出する。次に、この物理量を出力装置であるＬＥＤ照明装置で表現した際に、人間が空を見た際に感じる色とほぼ同じに感じるよう、補正を行う（この補正を「一次補正」と称する）。この補正は映像の分析によって得られた色に関する物理量をそのままＬＥＤ照明装置に表現させても、実際の風景や映像における色とのずれを感じることが多いために行われる。簡易な補正方法としては、次のような方法がある。数人の被験者を準備し、映像の分析によって得られた物理量を基準として、修正を行ってもらい、それを補正式としてモデル化する（例えば、表２の補正式を参照）。なお、表２に示すように、多くの場合、彩度及び明度は測定された値よりも大きな値に補正すべきであることが知られている。
【００２７】
また、単に、「物理量」を算出し、補正するのではなく、「物理量」の特徴から適不適を判定し、最適な物理量を選択するようにしても良い。この場合には、現象特徴成分抽出部２２が、特徴量の補正を行った後に、現象特徴成分データ選択部２５が、空間設備３０の状況に応じて、最適な物理量を選択すれば良い。具体的には、詳細は後述する「波のきらめき」において、例えば、画像中に「波のきらめき（すなわち、波のきらめきの経時変化成分）」を表す部分が２つある場合において、２つの部分の変動の大小を比較する。そして、変動の大きい部分の方が「波のきらめき」を変動の小さい部分より伝えやすいので、変動の大きい部分を「波のきらめき」を表現するための物理量として選択する。また、変動が速すぎるか又は激しすぎて、刺激出力装置３２の出力速度が間に合わない場合、すなわち、入力した物理量の変動速度が０．０１秒であるが、刺激出力装置３２の出力速度０．１秒であるような場合には、当該物理量は選択されないことになる。この場合には、現象特徴成分データ選択部２５が当該物理量を出力可能な刺激出力装置３２を有する空間設備３０に出力するように選択しても良いし、刺激出力装置３２で出力可能な変動速度であるような、例えば「波のきらめき」の部分を見つけて、その物理量を測定するようにしても良い。
【００２８】
次に、作業空間毎（例えば、事務所、工場など）によって、適正な物理量が異なることが考えられるため、作業空間に応じて、作業空間適正範囲を設定し、補正された物理量が作業空間適正範囲内に収まっているかを判定する。そして、補正後の物理量が作業空間適正範囲内に収まっていない場合には、更なる補正を行う（この補正を「二次補正」と称する）。以上のような補正式や補正式に含まれるパラメータ、及び作業空間適正範囲は環境情報と出力装置の組み合わせごとに設定し、それらの情報は現象特徴成分抽出規則データベース２３が保持するようにすることが好ましい。本動作例では、この現象特徴成分抽出規則データベース２３は少なくとも表２のような情報を含んでいる。
【表２】
2008004023.tif 000004
【００２９】
表２において、自然現象として、空の色の変化が環境情報収集装置１２のカメラで収集される。また、刺激出力装置３２は、カラーＬＥＤである。ここで、物理量として、測定する物理量、と出力設備で出力する表現物理量とがあり、測定する物理量である色相（Ｈ）、彩度（Ｓ）、明度（Ｌ）について、カラーＬＥＤからの出力が、人間が環境を観察したときと同じように感じるような補正を補正式で行っている（一次補正）。補正式Ｈ′＝Ｈ、Ｓ′＝Ｓ＊１．３、Ｌ′＝Ｌ＊１．２＋１がそれぞれ色相、彩度、明度の一次補正の補正式である。このとき、一次補正の結果が空間設備３０の作業空間適正範囲内であれば、その値を現象特徴成分データとして、現象特徴成分データ配信部２６によって空間設備３０に配信する。一次補正の結果が空間設備３０の作業空間適正範囲外の場合には、当該値が作業空間適正範囲内になるように次のような二次補正を行った後に、配信を行う。
【００３０】
例えば、空の色の実測明度が最小値５０、最大値２００であった場合を考慮する。この場合において、作業空間適正範囲が最小値１００、最大値１５０であったものとする。このとき、実測した最大値と最小値の明度の差は１５０であり、作業空間適正範囲の最大値と最小値の明度の差は５０である。これにより、作業空間適正範囲と実測のスケール比は１：３であることがわかる。従って、実測最小値５０を適正範囲最小値１００に、最大値２００を適正範囲最大値１５０に対応させた上で、実測値の変化を１／３倍した値と最適性範囲最小値１００を加えた値を現象特徴成分データとすることで、作業空間適正範囲に適合した二次補正ができる。
【００３１】
ここで、本動作例は、空の色変化という視覚刺激であるため、照明装置で現象特徴成分データを出力することが一般的ではある。しかし、この視覚刺激を他の感覚に作用する刺激出力装置を用いることも考えられる。これは空間設備３０内に適切な照明装置が存在しない場合や、ユーザが照明に関しては通常の照明を使用したいなどの希望がある場合、また空の色変化を他の変化と比較して強調したい場合において、照明装置に加えて同じ自然現象の変化を出力する場合などが考えられる。このような場合は、例えば表３に示すように、出力装置を送風機やスピーカーとし、明度や彩度といった物理量を、それぞれ表現物理量を風速や鳥の声のサウンド音量などとして、明度や彩度の変化を風速や鳥の声のサウンド音量の変化として出力するようにしてもよい。なお、この場合における補正式の例を表３に示している。
【表３】
2008004023.tif 000005
【００３２】
（動作例２）
動作例２として、太陽で照らされた波のきらめきを伝達する場合を説明する。取得した画像が図２のような場合であったものとする。図２において、  
Ａ：海の動きと連動して光が反射したりしなかったりと、輝度の変化が強く、きらめきが激しい部分  
Ｂ：光の反射が強く白く光り続ける部分  
Ｃ：照り返しが少ないため，輝度があまり変化しない部分  
があるものとする。このとき、人間が最も光の変化が激しい「きらめき」として感じる部分は、光を最も反射し、白く光る部分Ｂと、最も反射量が少ない部分Ｃの間にある部分Ａである。そこで、現象特徴成分抽出部２２は、その画像解析機能によって、画像を数ピクセル矩形（図２の部分Ｄ）で画面全体を走査する。そして、最も明度変化が著しい領域をきらめき抽出部分（図２の部分Ａ′）として自動的に設定する。そして、その明度を、上記の一次補正及び二次補正を行う。当該データは、現象特徴成分データ配信部２６により現象特徴成分データとして配信される。なお、走査を数分間隔など一定時間に一度行えば、きらめく場所が変化しても対応することができる。この現象特徴成分データは、表４のようにカラーＬＥＤを使用して光として表現することができる。
【表４】
2008004023.tif 000006
【００３３】
また、同様の映像を対象に、数ピクセルの矩形ではなく、画面横幅相当の細い横長矩形を下から上へと走査して、明度や彩度の変化の最も著しい矩形の物理量を算出しても良い。これにより、波の押し寄せのリズムを抽出することも可能である。
【００３４】
図３に示すように、木々の葉の間から差し込む木漏れ日の場合にも適用可能である。例えば、葉と葉の隙間が風に揺れた葉によって隠れることから、最も明度の変化の激しくなる部分（図３の部分Ｅ）を走査して自動的検知しても良い。また、当該変化の激しくなりそうな部分を予め設定してもよい。そして、その矩形部分の物理量を補正して、木漏れ日のリズムを表す現象特徴成分データを作成することもできる。
【００３５】
ところで、従来技術で述べたとおり、五感に作用する総合的な快適空間を提供するためには、多種の感覚に複合的に刺激を呈示することが好ましい。ここでは、本実施形態において、軽井沢の森の自然環境の雰囲気を視覚、聴覚、触覚に呈示した例とその効果の検証結果を示す。
【００３６】
対象とする自然現象は、緑の色、木漏れ日、風、野鳥の声・木々の揺れ音とした。ここで、緑の色と木漏れ日についてはビデオカメラで収集した映像から、上記の手法を用い物理量を算出し、補正を行った後、カラーＬＥＤを使用した壁照明及び床照明と、スポットライトとに出力させた。また、風は風向風速センサによって計測した風速データを物理量とし、補正後に、送風機に出力させた。野鳥の声・木々の揺れ音はマイクを用いて集録した音を、音量を調整し、そのまま出力した。
【００３７】
被験者に、上記のような照明、スピーカー、及び送風機を備えた空間に入ってもらい、数分間の体験をしてもらった。その間創造性の度合いを検知するための創造性検査の実施も行った。この創造性検査として、ある与えられた用語に対して、連想（発想）した言葉の数（回答数）と、この発想した言葉に対する独創性について第三者の評価（独創性）に対する実験を行った。なお、比較のため、軽井沢の風景ビデオを流した空間、通常の蛍光灯照明のみの空間でも同じ実験を行った。図５に２１人の被験者実験の結果を示す。  
まず、回答数については、通常の照明のみと、自然のビデオのみでは、それぞれ、１人に付き、３．９０個と３．９１個であった。本実施形態による軽井沢の空間による出力では、４．３７個であった。また、独創性については、通常の照明のみと、自然のビデオのみでは、それぞれ４．１１点と４．２０点であったのが、本実施形態による軽井沢の空間による出力では、４．６２点となった。これにより、本実施形態によれば、通常の照明のみや、自然のビデオのみよりも高い効果が得られることがわかる。
【００３８】
上記のように、本実施形態によれば、映像刺激のようにユーザの作業を妨げることなく、遠隔地の自然（環境）の雰囲気を感じさせ、リラックス状態と創造性向上をもたらすことができる。
【００３９】
本発明は、上記各実施の形態に限ることなく、その他、実施段階ではその要旨を逸脱しない範囲で種々の変形を実施し得ることが可能である。  
上記の実施形態では、環境情報出力制御システムとして、遠隔地設備１０と、環境情報コンテンツサーバ２０と、空間設備３０とを備えたシステムを例示したが、これに限らず、上記の機能を実現できれば、どのような構成であっても良い。例えば、図５に示すように、遠隔地設備が環境情報コンテンツサーバを含んで、遠隔地設備５０とした構成であっても良い。なお、図５において、図１と同じ部分には、同じ符号を付しており、各部の機能及び動作は上記の実施形態と同様であるので、説明は省略する。  
また、上記の実施形態では、現象特徴成分データ選択部２５により、空間設備３０に装備された刺激出力装置３２に応じて、現象特徴成分データを選択するようにしたが、現象特徴成分データ選択部２５を省略しても良い。この場合には、すべての現象特徴成分データを空間設備３０に送信しておき、空間設備３０の刺激出力制御部３４で、存在しない現象特徴成分データの出力を抑制するようにすればよい。  
また、上記の実施形態では、空間設備３０として、オフィスや一般住居などに設けられた設備を例として説明したが、これに限らず、環境情報コンテンツサーバ２０から配信されたデータを出力可能な設備或いは装置であればどのようなものでも良く、例えば、画像データをパーソナルコンピュータや携帯端末の待ち受け画面や背景画面として表示しても良い。  
さらに、上記各実施形態には、種々の段階の発明が含まれており、開示される複数の構成要件における適宜な組合せにより種々の発明が抽出され得る。
【００４０】
また、例えば各実施形態に示される全構成要件から幾つかの構成要件が削除されても、発明が解決しようとする課題の欄で述べた課題が解決でき、発明の効果で述べられている効果が得られる場合には、この構成要件が削除された構成が発明として抽出され得る。
【図面の簡単な説明】
【００４１】
【図１】本発明の一実施形態に係る環境情報出力制御システムの全体構成を示す概略図である。
【図２】自然環境が海の場合における波のきらめきの抽出例を示す図である。
【図３】木漏れ日の変動を抽出する例を示す図である。
【図４】本実施形態における効果を創造性検査により確認した結果を示す図である。
【図５】本実施形態に係る環境情報出力制御システムの他の構成例を示す図である。
【符号の説明】
【００４２】
１０…遠隔地設備
１２…環境情報収集装置
１４…環境情報収集制御部
１６…環境情報送信部
１８…ネットワークインターフェース
２０…環境情報コンテンツサーバ
２１…環境情報収集装置管理部
２２…現象特徴成分抽出部
２３…現象特徴成分抽出規則データベース
２４…現象特徴成分データベース
２５…現象特徴成分データ選択部
２６…現象特徴成分データ配信部
２７…ネットワークインターフェース
３０…空間設備
３２…刺激出力装置
３４…刺激出力制御部
３６…ネットワークインターフェース
４０…ネットワーク
【図１】
2008004023.tif 000007
【図２】
2008004023.tif 000008
【図３】
2008004023.tif 000009
【図４】
2008004023.tif 000010
【図５】
2008004023.tif 000011